(57)【要約】【課題】家庭内で容易に用いることができ、食事の際の手軽さが損なわれず、後片付けの必要もなく、美観や興趣性に優れたロール状食品の包装材を提供する。【解決手段】ロール状食品の周囲に巻回されて当該ロール状食品の周面を覆うための矩形のシート部材２と、巻回されたシート材の端部を結束するためのリボン状部材３からなり、リボン状部材３の片面には接着剤が塗布されていることを特徴とする包装材１である。【選択図】図８
0003162093.tif 000002
【実用新案登録請求の範囲】
【請求項１】
ロール状食品の周囲に巻回されて当該ロール状食品の周面を覆うための矩形のシート部材と、
巻回されたシート材の端部を結束するためのリボン状部材からなり、
リボン状部材の片面には接着剤が塗布されていることを特徴とするロール状食品の包装材。
【請求項２】
シート部材の外側に図柄が付されていることを特徴とする請求項１に記載のロール状食品の包装材。
【請求項３】
図柄が、犬、猫、豚、パンダ等動物の絵又は写真又はイラストであることを特徴とする請求項１又は２に記載のロール状食品の包装材。
【請求項４】
図柄がシート部材の中央部付近に、横幅がシート部材の横幅の５０〜８０％、高さがシート部材の高さの３０〜４５％の範囲内に付されていることを特徴とする請求項１乃至３のいずれかに記載のロール状食品の包装材。
【請求項５】
リボン状部材が台紙上に離型剤層を介して列設されていることを特徴とする請求項１乃至４のいずれかに記載のロール状食品の包装材。
【考案の詳細な説明】
【技術分野】
【０００１】
本考案は、サンドイッチ等のロールサンドや手巻き寿司等、略円柱状に巻かれたロール状食品を包装するための包装材に関し、更に詳しくは、家庭等において手作業で簡単にロール状食品を包装できる包装材に関する。
【背景技術】
【０００２】
従来から、弁当や軽食のために、食材を略円筒状に巻いた手巻き寿司やロールサンド等のロール状食材が利用されている。これらのロール状食品は手づかみで食べることができ、後片付けも殆どいらないので非常に手軽である。
このロール状食品を弁当として持ち運ぶ際、例えば引用文献１乃至３に記載されたような包装材により包装すれば、食事の際の利便性も損なわれずに大変便利である。通常、食品メーカーは、このような包装材によりロール状食品を包装して販売する。
【先行技術文献】
【特許文献】
【０００３】
【特許文献１】特開２００４−２９００５９号公報
【特許文献２】特開２００７−１６１３２１号公報
【特許文献３】特開２０１０−１３１６０号公報
【考案の概要】
【考案が解決しようとする課題】
【０００４】
近年、手巻き寿司やロールサンドといったロール状食品を家庭で作り、弁当として持ち運ぶケースも増えてきている。しかしながら、従来から商業用として使用されているロール状食品の包装材は、構造が複雑すぎて家庭内で包装するには向かない。
また、これらのロール状食品を弁当箱に詰めるとロール状食品同士が密着してしまい、ロール状食品を一つずつ取り出す際に密着したロール状食品の間に箸などを挿入する必要が生じるなど、食事の手軽さが損なわれる。そればかりでなく、食後に弁当箱を洗うなど、後片付けの必要も生じる。
【０００５】
食品包装用ラップフィルム等を用いて包む方法もあるが、ラップフィルムは粘着性を有するため、このフィルム等をロール状食品に巻いて複数個並べたり積み重ねたりすると、フィルム同士がくっついて剥がしにくくなり、並べ替えたり、食する際に取り出すのが困難となり、利便性が損なわれる。また、現在使用されている家庭用の食品包装用ラップフィルムは透明であり、中の食品がそのまま見えるので、持ち運びの際や食事の際の美観や興趣性に欠ける。
【０００６】
本考案の課題は、上記実情に鑑み、家庭内で容易に用いることができ、食事の際の手軽さが損なわれず、後片付けの必要もなく、美観及び興趣性に優れたロール状食品の包装材を提供することにある。
【課題を解決するための手段】
【０００７】
上記目的を達成するための本考案の特徴の第１は、ロール状食品の周囲に巻回されて当該ロール状食品の周面を覆うための矩形のシート部材と、巻回されたシート材の端部を結束するためのリボン状部材からなり、リボン状部材の片面には接着剤が塗布されていることを特徴とするロール状食品の包装材を内容とする。
【０００８】
本考案の特徴の第２は、シート部材の外側に図柄が付されている上記のロール状食品の包装材を内容とする。
【０００９】
本考案の特徴の第３は、図柄が、犬、猫、豚、パンダ等動物の絵又は写真又はイラストである上記のロール状食品の包装材を内容とする。
【００１０】
本考案の特徴の第４は、図柄がシート部材の中央部付近に、横幅がシート部材の横幅の５０〜８０％、高さがシート部材の高さの３０〜４５％の範囲内に付されている上記のロール状食品の包装材を内容とする。
【００１１】
本考案の特徴の第５は、リボン状部材が台紙上に離型剤層を介して列設されている上記のロール状食品の包装材を内容とする。
【考案の効果】
【００１２】
本考案のロール状食品の包装材（以後、単に包装材と称することがある）は、矩形のシート部材とリボン状部材からなり、リボン状部材の片面には接着剤が塗布されているので、ロール状食品にシート部材を巻回し、円筒状に丸められたシート部材の端部を細く束ねてリボン状部材で結束することにより、簡単に包装することができる。
また、リボン状部材でシート部材の端部を結束するには、シート部材の端部を束ね、これを挟みこむようにして、接着剤が塗布された面を内側にして束ねた回りを接着し、端部同士を接着する。このようにすれば、リボン状部材の端部が突出した状態となり、ロール状食品を取り出す際の把持部として使用でき便利である。
【００１３】
シート部材の外側に図柄を付すことにより、美観や興趣性が高められるので好ましく、特に子供向けには、犬、猫、豚、パンダ等動物の絵、写真、又はイラストが好ましい。
図柄は、シート部材の中央部付近に、横幅がシート部材の横幅の５０〜８０％、高さがシート部材の高さの３０〜４５％の大きさの模様を記載すれば、本考案の包装材によりロール状食品が包装された状態で盛り付けても、シート部材に記載された図柄を全部表側に出すことができるので、視認性及びデザイン性に優れる。
【００１４】
リボン状部材を台紙上に離型剤層を介して列設すれば、所望のデザインのリボン状部材を台紙上から取り上げ、容易に結束させることができ、また、使用しなかったリボン状部材の整理や管理も容易になる。
【図面の簡単な説明】
【００１５】
【図１】図１は本考案の包装材におけるシート部材の一例を示す平面図である。
【図２】図２は包装材におけるシート部材の他の例を示す平面図である。
【図３】図３は包装材におけるシート部材の他の例を示す平面図である。
【図４】図４は包装材におけるシート部材の他の例を示す平面図である。
【図５】図５は包装材におけるシート部材の他の例を示す平面図である。
【図６】図６は包装材におけるシート部材の他の例を示す平面図である。
【図７】図７は本考案の包装材で使用できるリボン状部材の例を示す平面図である。
【図８】図８は本考案の包装材により包装されたロール状食品を示す正面図である。
【考案を実施するための形態】
【００１６】
本考案の包装材１は、ロール状食品の周囲に巻回されて当該ロール状食品の周面を覆うための矩形のシート部材２（図１乃至６参照）と、巻回されたシート材の端部を縛るためのリボン状部材３（図７参照）からなり、リボン状部材３の片面には接着剤が塗布されていることを特徴とする。
【００１７】
本考案の包装材１は、シート部材２とリボン状部材３からなる。
本考案において、シート部材２とは、ロール状食品の周囲を覆い包み込むためのシート状の部材であり、ロール状食品の周りに巻回しやすいように平面視で矩形に形成されている。
その材質は特に限定されず、雑菌が繁殖しにくく、軽量で、可撓性に富む点で合成樹脂製が好ましく、具体的にはポリエチレン、ポリプロピレン等のポリオレフィン樹脂、ポリスチロール樹脂、塩化ビニル樹脂、ポリアミド樹脂、ポリエステル樹脂、ポリカーボネート樹脂等が例示できるが、焼却処分しても有毒ガスが排出されない点でポリオレフィン樹脂、特にポリプロピレン樹脂が好ましい。
【００１８】
シート部材２に図柄を付することにより、美観や興趣性が向上し、食事を楽しくし、食欲増進を図ることができる。図柄は特に制限されず、花、動物、鳥等の絵や写真、これらのイラストや、水玉、チェック、ストライプ等の模様が挙げられる。特に、子供向けには、犬、猫、豚、パンダ等動物の絵、写真、又はイラストが好ましい。また、動物の場合は、体全体を記載してもよいし、顔部分だけをクローズアップしてもよい。
例えば、図１では模式図的に変形した猫の顔のイラストが描かれたシート部材２が記載され、同様に図２では犬の顔のイラストが、図３では豚の顔のイラストが、図４ではパンダの顔のイラストがそれぞれ描かれている。また、図５に記載された水玉模様や図６に記載のチェック模様などの地模様でもよい。
【００１９】
図柄の位置や大きさは特に限定されないが、シート部材２をロール状食品に巻いた状態で、図柄全体が視認できる程度が好ましく、例えば、図柄の横幅がロール状食品の長さより短く、高さがロール状部食品の直径の１．０〜１．５倍程度であれば、図柄の一部が裏側に回ったり、シート部材２の端部を縛る際に図柄が変形したり隠れたりしないので好都合である。
なお、包装されるロール状食品の大きさは特に限定されないが、ロール状食品にシート部材を巻回する際、シート部材２の高さの１０％程度の重ねしろを設けて包み、シート部材２の横幅の１０％程度づつを、端部を束ねるための結束しろとするのが適当であるが、この点を考慮すると、図柄の横幅をシート部材２の横幅の５０〜８０％とし、高さをシート部材の高さの３０〜４５％程度とすれば、ロール状食品を包装した状態でシート部材２に描かれた図柄全体を視認することができるので好ましい。
無論、図５に記載の水玉模様、図６に記載のチェック模様のように、シート部材２全面に図柄を付してもなんら差し支えない。
【００２０】
本考案におけるリボン状部材３は、ロール状食品に巻回されたシート部材２の端部を縛り、ロール状食品の端面を保護するとともに、巻回したシート部材２が不意に展開しないようにするためのものである。
本考案においてリボン状部材３は細長い帯状の部材であり、片面に接着剤が塗布されている。リボン状部材３の長さや幅は特に限定されないが、長さは、シート部材２の端部を束ねた状態でロール状食品の上側にリボン状部材３が突出する程度が好ましく、幅は束ねたシート部材２の端部を周回しリボン状部材３の端部同士を接着剤面で接着できる程度のもので、通常、５〜１０ｍｍ程度が好ましい。
【００２１】
リボン状部材３の材質は特に限定されないが、開封時にリボン状部材３ごと破り捨てるのが便利なので、紙製とするのが望ましい。
【００２２】
リボン状部材３は台紙上に離型剤層を介して貼着しておき、必要に応じて台紙から剥がして接着面を露出させて使用するのが好ましい。なお、リボン状部材３は一つのロール状食品につき二つ必要であり、また、一回の食事でロール状食品が多数必要になることもあるので、一度に多数のリボン状部材３が必要になることもある。このような場合、図７に示すように、リボン状部材３を台紙上に列設させることにより、所望のデザインのリボン状部材３を探すのが容易になり、また、使用しなかったリボン状部材３の整理も容易になる。
なお、図７には、リボン状部材３が一枚の台紙に１２本づつ、計２４本記載されており、１２本のロール状食品を包装できるようになっている。リボン状部材３にも、図示したように、図柄や文字等を印刷することもできる。
【００２３】
本考案の包装材で包装されるロール状食品は特に制限されず、サンドイッチ等のロールサンド、ロール状のパン、手巻き寿司、巻き寿司等、ロール状の食品全てに適用することができる。
【００２４】
上記したシート部材２及びリボン状部材３からなる本考案の包装材を用いてロール状食品を包装するには、まず、シート部材２をロール状食品に巻回する。
即ち、図１〜図６に記載のシート部材２は図柄が記載された面を下にして横長になるように置き、この上に横長方向に置いたロール状食品を縦方向に転がすようにしてシート部材２を巻回するようにされている。このとき、シート部材２はロール状食品の周りに一回転して若干の重なりができるように巻くのが好ましく、この重なりしろの幅はシート部材の高さの１０％程度が好ましい。また、シート部材２を巻回する際、シート部材２の端部がロール状食品の両端を超えて飛び出すようにする。飛び出し幅はシート部材の横幅の１０％程度が好ましい。
次に、シート部材２の端部をコヨリのように捻るか、又は周囲から押さえ込むことにより細く束ねる。そして細く束ねた部分の回りをリボン状部材３の接着剤面で接着しリボン状部材３の端部同士を接着する。このようにすれば、図８に示すように、ロール状食品の周囲をシート部材で覆い、端部をリボン状部材３で結束して包装することができる。
【産業上の利用可能性】
【００２５】
叙上のとおり、本考案の包装材は、矩形のシート部材とリボン状部材からなり、リボン状部材の片面には接着剤が塗布されているので、ロール状食品を家庭で簡単に包装することができるとともに、簡単に剥がすことができ、また、美観や興趣性にも優れているので、家庭用のロール状食品の包装材として頗る有用である。
【符号の説明】
【００２６】
１  包装材
２  シート部材
３  リボン状部材
【図１】
0003162093.tif 000003
【図２】
0003162093.tif 000004
【図３】
0003162093.tif 000005
【図４】
0003162093.tif 000006
【図５】
0003162093.tif 000007
【図６】
0003162093.tif 000008
【図７】
0003162093.tif 000009
【図８】
0003162093.tif 000010